(57)【要約】【課題】固定具本体に対して結束バンドの先端部の挿通を容易に行うことができ、かつ結束バンドの無駄のない結束具を提供する。【解決手段】筒状の固定具本体３の対向した内面に、それぞれ反対方向への結束バンド５の移動を許容するが戻り方向への結束バンド５の移動を阻止するためのラチェット爪７，９を備えた結束用固定具１１と、当該固定具１１の入口に同方向から２度挿入することによってループを形成する結束バンド５とを備え、上記結束バンド５の両面に係止突起２５を適宜ピッチに備えている。前記各ラチェット爪７，９の動作領域は、前記固定具本体３の出入口側に離反してある。そして、前記バンド本体５の両側にバンクベルト２１を備えている。【選択図】図１
2007091295.tif 000002
【特許請求の範囲】
【請求項１】
筒状の固定具本体の対向した内面に、それぞれ反対方向へのバンドの移動を許容するが戻り方向へのバンドの移動を阻止するためのラチェット爪を備えていることを特徴とする結束用固定具。
【請求項２】
請求項１に記載の結束用固定具において、前記各ラチェット爪の動作領域は、前記固定具本体の出入口側に配置してあることを特徴とする結束用固定具。
【請求項３】
バンド本体の表面に、一方向への傾斜面を備えた係止突起を適宜ピッチに備え、前記バンド本体の裏面に、前記係止突起と方向性が逆方向の係止突起を適宜ピッチに備えていることを特徴とする結束バンド。
【請求項４】
請求項３に記載の結束バンドにおいて、バンド本体の両側にバンクベルトを備えていることを特徴とする結束バンド。
【請求項５】
筒状の固定具本体の対向した内面に、それぞれ反対方向への結束バンドの移動を許容するが戻り方向への結束バンドの移動を阻止するためのラチェット爪を備えた結束用固定具と、当該固定具の入口に同方向から２度挿入することによってループを形成する結束バンドとを備え、上記結束バンドの両面に前記ラチェット爪によって係止される係止突起を適宜ピッチに備えていることを特徴とする結束具。
【請求項６】
筒状の固定具本体の対向した内面に、それぞれ反対方向への結束バンドの移動を許容するが戻り方向への結束バンドの移動を阻止するための金属製のラチェット爪を備えた結束用固定具と、当該固定具の入口に同方向から２度挿入することによってループを形成する結束バンドとを備え、上記結束バンドに前記ラチェット爪が食い込む構成であることを特徴とする結束具。
【発明の詳細な説明】
【技術分野】
【０００１】
本発明は、種々の被結束物を結束するための結束具及び結束具に使用する結束用固定具，結束バンドに係り、さらに詳細には、結束操作が容易であり、かつ結束バンドを有効に使用することのできる結束具及び結束用固定具，結束バンドに関する。
【背景技術】
【０００２】
従来、被結束物を結束するための結束具としては、結束バンドの一端側に環状のバックル部を一体に備え、結束バンドの他端側を前記バックル部内を挿通し、前記バックル部に備えた係止突起を、前記他端側に備えた係止凹部又は係止孔に係止する構成のものが知られている。
【０００３】
上記構成の結束具においては、前記結束バンドの長さは限られており、許容範囲内において被結束物を結束するものであるから、被結束物の周長が結束バンド長より僅かでも長くなると対応できないものである。すなわち、対象とする被結束物の適用範囲が小さいという問題がある。また、被結束物の周長が短い場合には、前記バックル部から大きく突出した結束バンドの他端側の余分な部分を切断除去するという無駄が多いという問題がある。
【０００４】
また、従来の結束具としては、結束バンドと固定具とを個別に備えた構成のものも知られている（例えば特許文献１参照）。
【特許文献１】実開平５−７３３８７号公報
【発明の開示】
【発明が解決しようとする課題】
【０００５】
前記特許文献１に記載の結束具の構成は、図５に示すごとき構成である。すなわち、筒状の固定具本体１０１の内部に、方向性が逆方向の可撓性の第１，第２のラチェット爪１０３，１０５を備えている。そして、第１ラチェット爪１０３と固定具本体１０１における上壁部との間には、第１ラチェット爪１０３の撓みを許容する空間部１０７が形成してあり、前記第１，第２のラチェット爪１０３，１０５の間には、結束バンド１０９を挿通するための第１通路１１１が形成してある。さらに、第２ラチェット爪１０５と固定具本体１０１の下壁部との間に、第２通路１１３が形成してある。
【０００６】
上記構成において、被結束物１１５を結束するために、結束バンド１０９をループ状に形成するには、先ず、適宜の冶具を用いて第１ラチェット爪１０３の先端側を持上げて、第１通路１１１の上下間隔を広げる。そして、結束バンド１０９の先端部１０９Ａを矢印Ａ方向に挿入し、かつ第２通路１１３に対して前記先端部１０９Ａを矢印Ｂ方向に挿通することにより、結束バンド１０９をループ状に形成するものである。
【０００７】
上記構成においては、ループ状に形成した後の結束バンド１０９を、矢印Ａの反対方向へ引っ張ることにより、ループ内の被結束物１１５を強固に締め付けることができる。また、固定具本体１０１の外側において結束バンド１０９を切断することにより、結束バンド１０９の無駄をなくすことができる。
【０００８】
しかし、前記構成においては、固定具本体１０１に対して結束バンド１０９を矢印Ａ方向に挿通するときには、冶具によって第１ラチェット爪１０３の先端部を持上げる必要があり、操作性の向上を図る上においては問題がある。また、前記構成においては、固定具本体１０１の上壁部，空間部１０７，第１ラチェット爪１０３，第１通路１１１，第２ラチェット爪１０５，第２通路１１３及び固定具本体の下壁部が上下方向に重なり合った構成であるから、固定具本体１０１の全体的構成の上下寸法が大きくなるという問題がある。
【０００９】
さらに、前記構成においては、結束バンド１０９を挿通する第１通路１１１と第２通路１１３との間に第２ラチェット爪１０５が存在して実質的な仕切りとなっている。すなわち２層の独立空間、独立機構となっているので、構成が複雑であると共に、金型などでの製作が困難である。
【課題を解決するための手段】
【００１０】
本発明は、前述のごとき従来の問題に鑑みてなされたもので、結束用固定具は、筒状の固定具本体の対向した内面に、それぞれ反対方向へのバンドの移動を許容するが戻り方向へのバンドの移動を阻止するためのラチェット爪を備えていることを特徴とするものである。
【００１１】
また、前記結束用固定具において、前記各ラチェット爪の動作領域は、前記固定具本体の出入口側に配置してあることを特徴とするものである。
【００１２】
また、結束バンドは、バンド本体の表面に、一方向への傾斜面を備えた係止突起を適宜ピッチに備え、前記バンド本体の裏面に、前記係止突起と方向性が逆方向の係止突起を適宜ピッチに備えていることを特徴とするものである。
【００１３】
また、前記結束バンドにおいて、バンド本体の両側にバンクベルトを備えていることを特徴とするものである。
【００１４】
また、筒状の固定具本体の対向した内面に、それぞれ反対方向への結束バンドの移動を許容するが戻り方向への結束バンドの移動を阻止するためのラチェット爪を備えた結束用固定具と、当該固定具の入口に同方向から２度挿入することによってループを形成する結束バンドとを備え、上記結束バンドの両面に前記ラチェット爪によって係止される係止突起を適宜ピッチに備えていることを特徴とするものである。
【００１５】
筒状の固定具本体の対向した内面に、それぞれ反対方向への結束バンドの移動を許容するが戻り方向への結束バンドの移動を阻止するための金属製のラチェット爪を備えた結束用固定具と、当該固定具の入口に同方向から２度挿入することによってループを形成する結束バンドとを備え、上記結束バンドに前記ラチェット爪が食い込む構成であることを特徴とするものである。
【発明の効果】
【００１６】
本発明によれば、固定具本体に対して結束バンドの先端部を最初に挿通するとき、第１，第２のラチェット爪の間隔が大きく、結束バンドの挿通を容易に行うことができる。そして、結束バンドをループ状に形成して、結束バンドの先端部を同方向から２度目に挿通するときには、結束バンドが重なり合うので、第１，第２のラチェット爪に撓みを生じるものであり、固定具本体に対して結束バンドの挿通を容易に行うことができる。
【００１７】
また、結束バンドをループ状に形成した状態においては、結束バンドは固定具本体内において直接接触して重なり合った状態となるものであり、固定具本体の全体的構成の高さ寸法を小さく抑制することができるものである。
【発明を実施するための最良の形態】
【００１８】
図１を参照するに、本発明の実施形態に係る結束具１は、筒状の固定具本体３の対向した内面に、それぞれ反対方向への結束バンド５の移動を許容するが戻り方向への結束バンド５の移動を阻止するための第１，第２のラチェット爪７，９を備えた結束用固定具１１を備えている。
【００１９】
前記結束用固定具１１における前記固定具本体３は、図２に示すように、四角形状の貫通孔１３を備えた筒体に形成してあり、前記第１，第２のラチェット爪７，９は、前記貫通孔１３の入口側と出口側とに対称形に設けてある。すなわち、第１，第２のラチェット爪７，９は、互いの作動領域が重ならないように、貫通孔１３の出入口側に離反して設けてあるものである。なお、第１，第２のラチェット爪７，９は対称形であるから、固定具本体３における貫通孔１３は、出入口が決まっているものではなく、一方側が入口になれば、他方側が出口になるものである。
【００２０】
前記第１，第２のラチェット爪７，９は、先端部（自由端）が前記貫通孔１３の中心側へ指向するように傾斜してあり、各ラチェット爪７，９の内側面には、前記結束バンド５に備えた係止突起を係止自在な係止爪１５がそれぞれ形成してある。そして、前記各ラチェット爪７，９に対応して前記固定具本体３には、各ラチェット爪７，９が入り込み可能な凹部１７が形成してある。
【００２１】
前記固定具本体３における前記貫通孔１３の高さ寸法は、前記結束バンド５を重ねた厚さ寸法より僅かに大きな寸法に形成してあり、かつ前記貫通孔１３の両側すなわち前記第１，第２のラチェット爪７，９の両側には、前記結束バンド５の両側に備えたバンクベルト２１を案内するベルト案内部１９が形成してある。
【００２２】
前記結束バンド５は、図３に示すように、長手方向の両側に、表面が平滑なバンクベルト２１を備えた構成である。このバンクベルト２１は、結束バンド５の両側において、あたかも土手状の部分を構成するものであって厚肉に形成してある。そして、前記結束バンド５の表面で前記バンクベルト２１の間には、一方向への傾斜面２３を備えた係止突起２５が適宜ピッチに備えられている。そして、上記結束バンド５の裏面に適宜ピッチに備えた係止突起２５は、表面の前記係止突起２５の方向性と逆方向に形成してある。
【００２３】
以上のごとき構成において、被結束物（図示省略）を結束するために、結束バンド５をループ状に形成するには、先ず、結束バンド５の先端部５Ａを、固定具本体３の貫通孔１３に対して、図１において矢印Ａ方向に挿通（１回目の挿通）する。この際、第１ラチェット爪７が貫通孔１３内へ突出した状態にあるが、結束バンド５は一重であり、かつ第１，第２のラチェット爪７，９が貫通孔１３の出入口側に偏在してあるので、第１，第２のラチェット爪７，９における係止爪１５に係止されることなく容易に挿通することができる。
【００２４】
次に、結束バンド５をループ状に形成し、結束バンド５の先端部５Ａを、固定具本体３における貫通孔１３内に同方向から挿通（２回目の挿通）すると、上記先端部５Ａ付近の係止突起２５が第２ラチェット９における係止爪１５に係止されて抜けなくなるものである。
【００２５】
前述のごとく、結束バンド５の先端部５Ａを固定具本体３の貫通孔１３に２回目の挿通を行うときには、前記貫通孔１３内において結束バンド５は二重に重なり合うことになる。この際、結束バンド５の両側の厚肉のバンクベルト２１の部分が貫通孔１３のベルト案内部分１９において重なり合うものであるから、結束バンド５の表裏両面にそれぞれ備えた係止突起２５が互に干渉するようなことがないものである。したがって、前記貫通孔１３に対する前記先端部５Ａの挿通も比較的容易に行うことができるものである。
【００２６】
前述のごとく、固定具本体３における貫通孔１３内において結束バンド５が二重になると、結束バンド５の表裏両面に備えた係止突起２５が第１，第２のラチェット爪７，９における係止爪１５に係止された状態にある。この状態において、結束バンド５のループ内に位置する被結束物を締め付けるように、結束バンド５を矢印Ａの逆方向に引っ張ると、第１ラチェット７が撓むことにより、第１ラチェット爪７の係止爪１５を越えて、結束バンド５の係止突起２５が１ピッチ毎に外側へ引き出される。
【００２７】
前述のごとく、結束バンド５を矢印Ａの逆方向に引っ張るとき、結束バンド５の先端部５Ａ付近の係止突起２５は、第２のラチェット爪９における係止爪１５によって係止された状態にあり、結束バンド５の先端部５Ａが固定具本体３の貫通孔１３から抜け出るようなことはないものである。そして、結束バンド５を引っ張って被結束物を締め付けた状態においては、第１ラチェット爪７における係止爪１５が結束バンド５の係止突起２５を係止して緩みを防止するものである。したがって、被結束物の締付けを行った後に、結束バンド５の余分な部分を切断することができる。
【００２８】
上記説明より理解されるように、本実施形態によれば、固定具本体３における貫通孔１３に対して結束バンド５の先端部５Ａを挿通するとき、入口側のラチェット爪による干渉を受けることなく容易に挿通することができる。また、固定具本体３は、結束バンド５を二重に重ねた寸法よりも僅かに大きな高さ寸法の貫通孔１３の出入口側にそれぞれラチェット爪７，９を備えた構成であるから全体的構成の簡素化を図ることができると共に高さ寸法を小さくすることができるものである。
【００２９】
図４は、第２の実施形態を示すものである。この第２の実施形態においては、結束バンド５の表裏両面に備えた係止突起２５の頂部がほぼ直角を呈する形状に形成し、かつ第１，第２のラチェット爪７，９を、基部側を固定具本体３内に埋設して斜めに突出した金属板等によって構成したものである。この場合においても前述した実施形態と同様の効果を奏し得るものである。
【００３０】
ところで、第１，第２のラチェット爪７，９を金属製として先端部に、例えば鋸刃状、ナイフエッジ状などのごとき適宜形状の、すなわち結束バンド５に対して食い込み易い形状のエッジを備えた構成とすることにより、被結束物の締付けを行うと、前記ラチェット爪７，９の先端部が結束バンド５に食い込んで緩みを防止するものである。したがって、この場合には、結束バンド５の両面に備えた係止突起２５を省略して、結束バンド５を平ベルトの構成とすることもできるものである。
【００３１】
なお、前記ラチェット爪７，９は、結束バンド５の一方向への移動は許容するが、他方向（緩む方向）への移動を阻止する機能を備えていれば良いものである。
【図面の簡単な説明】
【００３２】
【図１】本発明の実施形態に係る結束具の全体構成を示す説明図である。
【図２】結束用固定具の説明図である。
【図３】結束バンドの説明図である。
【図４】第２の実施形態に係る結束具の説明図である。
【図５】従来の結束具の説明図である。
【符号の説明】
【００３３】
１    結束具
３    固定具本体
５    結束バンド
５Ａ    先端部
７    第１ラチェット爪
９    第２ラチェット爪
１１    結束用固定具
１３    貫通孔
１５    係止爪
１７    凹部
１９    ベルト案内部
２１    バンクベルト
２３    傾斜面
２５    係止突起
【図１】
2007091295.tif 000003
【図２】
2007091295.tif 000004
【図３】
2007091295.tif 000005
【図４】
2007091295.tif 000006
【図５】
2007091295.tif 000007